(57)【要約】【課題】紙葉類の取り出しが容易となる紙葉類処理装置を提供する。【解決手段】紙葉類Ｓを収容する収容部１４と、収容部１４に摺動可能に設けられ、収容部１４に収容される紙葉類Ｓを支持すると共に、一部が収容部１４の外部に突出するまで摺動して、支持している紙葉類Ｓを一部が収容部１４の外部に突出するまで押し出し方向前方に押し出す摺動ステージ部８１とを備える。摺動ステージ部８１が、一部が収容部１４の外部に突出するまで摺動して、支持している紙葉類Ｓを一部が収容部１４の外部に突出するまで押し出し方向前方に押し出すことにより、利用者は、収容部１４から一部突出している紙葉類Ｓを取り出すことになる。【選択図】図３
2020040823.tif 000002
【特許請求の範囲】
【請求項１】
紙葉類を収容する収容部と、
前記収容部に摺動可能に設けられ、前記収容部に収容される紙葉類を支持すると共に、一部が前記収容部の外部に突出するまで摺動して、支持している紙葉類を一部が前記収容部の外部に突出するまで押し出し方向前方に押し出す摺動ステージ部と
を備えることを特徴とする紙葉類処理装置。
【請求項２】
前記摺動ステージ部は、前記押し出し方向の前端部に、前記押し出し方向の前方に突出して紙葉類を支持する突出部と、紙葉類を突出させる切欠部とが設けられていることを特徴とする請求項１に記載の紙葉類処理装置。
【請求項３】
前記摺動ステージ部は、水平に対し斜めに設けられていることを特徴とする請求項１又は２に記載の紙葉類処理装置。
【請求項４】
前記摺動ステージ部は、揺動可能に設けられていることを特徴とする請求項１から３の何れか一項に記載の紙葉類処理装置。
【請求項５】
前記摺動ステージ部は、
紙葉類を支持する支持ステージと、
前記支持ステージで支持された紙葉類の前記押し出し方向の後端部に当接可能な押出ステージとを有しており、
前記押出ステージは、紙葉類と当接する押出面を有する押出主体部と、前記押出主体部から延出する延長押出部とを有することを特徴とする請求項１から４の何れか一項に記載の紙葉類処理装置。
【請求項６】
前記収容部は、収容された紙葉類に当接する位置固定の高摩擦部を有することを特徴とする請求項１から５の何れか一項に記載の紙葉類処理装置。
【請求項７】
前記摺動ステージ部は、支持する紙葉類の前記押し出し方向の長さに応じて摺動量が制御されることを特徴とする請求項１から６の何れか一項に記載の紙葉類処理装置。
【発明の詳細な説明】
【技術分野】
【０００１】
本発明は、紙葉類処理装置に関する。
【背景技術】
【０００２】
従来から、紙葉類を処理する紙葉類処理装置が提案されている（例えば、特許文献１参照）。特許文献１のような従来の紙葉類処理装置は、受入口に集積状態で投入された紙葉類を機内に一枚ずつ取り込み、受入口から取り込まれた紙葉類を搬送する搬送路上に設けられた識別部で識別し、識別部で識別された種別に応じて紙葉類を収容部に分類して外部に取り出し可能に収容する。
【先行技術文献】
【特許文献】
【０００３】
【特許文献１】特開２０１７−１８２３１２号公報
【発明の概要】
【発明が解決しようとする課題】
【０００４】
しかしながら、特許文献１のような従来の紙葉類処理装置では、収容部内に収容された紙葉類が取り出し難いという課題があった。
【０００５】
従って、本発明は、紙葉類の取り出しが容易となる紙葉類処理装置の提供を目的とする。
【課題を解決するための手段】
【０００６】
上記目的を達成するために、本発明に係る第１の態様は、紙葉類を収容する収容部と、前記収容部に摺動可能に設けられ、前記収容部に収容される紙葉類を支持すると共に、一部が前記収容部の外部に突出するまで摺動して、支持している紙葉類を一部が前記収容部の外部に突出するまで押し出し方向前方に押し出す摺動ステージ部とを備えることを特徴とする。
【０００７】
上記第１の態様によれば、収容部に紙葉類を収容すると、収容部に収容された紙葉類は摺動ステージ部に支持される。そして、この摺動ステージ部が、一部が収容部の外部に突出するまで摺動して、支持している紙葉類を一部が収容部の外部に突出するまで押し出し方向前方に押し出す。よって、収容部から一部突出している紙葉類を取り出すことになり、紙葉類の収容部からの取り出しが容易となる。
【０００８】
本発明に係る第２の態様は、上記第１の態様において、前記摺動ステージ部は、前記押し出し方向の前端部に、前記押し出し方向の前方に突出して紙葉類を支持する突出部と、紙葉類を突出させる切欠部とが設けられていることを特徴とする。
【０００９】
上記第２の態様によれば、摺動ステージ部には、押し出し方向の前端部に、押し出し方向の前方に突出して紙葉類を支持する突出部と、紙葉類を突出させる切欠部とが設けられているため、紙葉類の切欠部で突出させられた部分を掴めば、紙葉類の収容部からの取り出しが更に容易となる。
【００１０】
本発明に係る第３の態様は、上記第１又は第２の態様において、前記摺動ステージ部は、水平に対し斜めに設けられていることを特徴とする。
【００１１】
上記第３の態様によれば、水平に対し斜めに設けられているため、紙葉類の収容部からの取り出しが更に容易となる。
【００１２】
本発明に係る第４の態様は、上記第１から第３の何れか一態様において、前記摺動ステージ部は、揺動可能に設けられていることを特徴とする。
【００１３】
上記第４の態様によれば、摺動ステージ部が揺動可能に設けられているため、紙葉類の集積量に応じて揺動することになる。よって、紙葉類が少ない状態では収容部の内部の集積空間の容積を減らし、紙葉類が増えてくると収容部の集積空間の容積を増やすことができる。従って、初期に収容部に繰り出された紙葉類が収容部において動ける範囲が広くなってしまうことを防止でき、初期に収容部に繰り出された紙葉類を確実に摺動ステージ部に載置させて、紙葉類の姿勢を安定させることができる。更に、摺動ステージ部は載置される紙葉類の枚数が増えるに連れて揺動するので、収容部の集積容量が増えても、収容部に繰り出される紙幣を確実に集積させることができる。
【００１４】
本発明に係る第５の態様は、上記第１乃至第４の何れか一態様において、前記摺動ステージ部は、紙葉類を支持する支持ステージと、前記支持ステージで支持された紙葉類の前記押し出し方向の後端部に当接可能な押出ステージとを有しており、前記押出ステージは、紙葉類と当接する押出面を有する押出主体部と、前記押出主体部から延出する延長押出部とを有することを特徴とする。
【００１５】
上記第５の態様によれば、摺動ステージ部が、支持ステージに紙葉類を集積させた状態で、押し出し方向の前方に摺動すると、支持ステージで支持された紙葉類の押し出し方向の後端部に当接可能な押出ステージが支持ステージに集積された紙葉類を押し出し方向の前方に押し出す。その際に、押出ステージは、支持ステージに集積された紙葉類を押出主体部で押し出す一方、押出主体部よりも押出ステージとは反対側にある紙葉類を押出主体部から延出する延長押出部で押し出すことになる。よって、何らかの理由で押出主体部で押し出せない位置に紙葉類があっても、これを押し出すことができる。
【００１６】
本発明に係る第６の態様は、上記第１乃至第５の何れか一態様において、前記収容部は、収容された紙葉類に当接する位置固定の高摩擦部を有することを特徴とする。
【００１７】
上記第６の態様によれば、摺動ステージ部が、支持ステージに紙葉類を集積させた状態で、押し出し方向の前方に摺動すると、支持ステージで支持された紙葉類の押し出し方向の後端部に当接可能な押出ステージが支持ステージに集積された紙葉類を押し出し方向の前方に押し出す。その後、紙葉類の取り出しを待たずに摺動ステージ部が収容部内に引っ込んでも、紙葉類は、収容部の位置固定の高摩擦部で移動することなく、収容部から一部突出した状態を維持する。このため、摺動ステージ部が紙葉類の突出後、紙葉類から離れることになり、紙葉類を掴む際の邪魔になり難い。よって、紙葉類の収容部からの取り出しが更に容易となる。
【００１８】
本発明に係る第７の態様は、上記第１乃至第６の何れか一態様において、前記摺動ステージ部は、支持する紙葉類の前記押し出し方向の長さに応じて摺動量が制御されることを特徴とする。
【００１９】
上記第７の態様によれば、摺動ステージ部は、支持する紙葉類の押し出し方向の長さに応じて摺動量が制御されるため、紙葉類を押し出し方向の長さに応じて取り出し易い位置に突出させることができる。よって、紙葉類が収容部から更に取り出し易くなる。
【発明の効果】
【００２０】
本発明によれば、紙葉類の取り出しが容易となる紙葉類処理装置を提供することができる。
【図面の簡単な説明】
【００２１】
【図１】本発明に係る一実施形態の紙葉類処理装置を示す正面図である。
【図２】本発明に係る一実施形態の紙葉類処理装置を正面側から見た内部の概略構成図である。
【図３】本発明に係る一実施形態の紙葉類処理装置を示す斜視図である。
【図４】本発明に係る一実施形態の紙葉類処理装置の収容部及び摺動ステージ部を示す斜視図である。
【図５】本発明に係る一実施形態の紙葉類処理装置の収容部及び摺動ステージ部を示す斜視図である。
【図６】本発明に係る一実施形態の紙葉類処理装置の収容部及び摺動ステージ部を示す斜視図である。
【図７】本発明に係る一実施形態の紙葉類処理装置の収容部及び摺動ステージ部を示す部分斜視図である。
【図８】本発明に係る一実施形態の紙葉類処理装置の摺動ステージ部を示す斜視図である。
【図９】本発明に係る一実施形態の紙葉類処理装置の摺動ステージ部を示す斜視図である。
【図１０】本発明に係る一実施形態の紙葉類処理装置の摺動ステージ部を示す部分斜視図である。
【図１１】本発明に係る一実施形態の紙葉類処理装置の摺動ステージ部を示す部分斜視図である。
【図１２】本発明に係る一実施形態の紙葉類処理装置の変形例５の動作を説明するための図である。
【図１３】本発明に係る一実施形態の紙葉類処理装置の変形例７−２の収容部及び摺動ステージ部を示す斜視図である。
【図１４】本発明に係る一実施形態の紙葉類処理装置の変形例７−２の収容部及び摺動ステージ部を示す部分正面図である。
【発明を実施するための形態】
【００２２】
＜第１実施形態＞
本発明に係る第１実施形態の紙葉類処理装置を図面を参照して以下に説明する。図１〜図３に示す本実施形態に係る紙葉類処理装置１は、紙葉類として主に紙幣を分類処理するものであり、投入された紙葉類Ｓを、計数対象である計数対象紙葉類と計数対象ではないリジェクト紙葉類とに分類し、計数対象紙葉類を更に種類別に計数して種類別に収容し、計数結果と収容先とを関連付けて表示するものである。以下の説明において、「前」は操作者側、「後」は操作者とは反対側、「右」は操作者から見て右側、「左」は操作者から見て左側である。
【００２３】
第１実施形態の紙葉類処理装置１は、計数ユニット２と収容ユニット３とが組み合わせられて構成されている。ここでは、１台の計数ユニット２に１台の収容ユニット３を組み合わせる場合を例にとり説明するが、１台の計数ユニット２に対し複数台の収容ユニット３を連設することも可能となっている。
【００２４】
図１，図３に示すように、計数ユニット２は、その右側面側の下部に設けられて右側面及び前面に亘って計数ユニット２外、即ち紙葉類処理装置１外に常時開口する受入部１１と、同じく右側面側の上部に設けられて右側面及び前面に亘って計数ユニット２外、即ち紙葉類処理装置１外に常時開口するリジェクト部１３とを有している。リジェクト部１３及び受入部１１は、前後方向及び左右方向の位置を重ね合わせて上下に並んで配置されている。
【００２５】
図２に示すように、受入部１１には、複数枚の紙葉類Ｓが長辺部を前後に沿わせ、短辺部を左右に沿わせて上下方向に集積された状態でセットされることになる。受入部１１は、このようにセットされた集積状態の紙葉類Ｓを最下のものから一枚ずつ分離し繰り出して紙葉類処理装置１内に取り込む。受入部１１から繰り出される紙葉類Ｓは、その短辺部の延在方向に沿って移動する。
【００２６】
計数ユニット２の内部には、受入部１１から繰り出された紙葉類Ｓを搬送する計数ユニット内搬送構成部２１と、計数ユニット内搬送構成部２１で搬送中の紙葉類Ｓを識別しつつ計数する識別部２２とが設けられている。計数ユニット内搬送構成部２１で搬送される紙葉類Ｓは、その短辺部の延在方向に沿って移動する。識別部２２は、計数ユニット内搬送構成部２１の受入部１１側の端部位置に設けられて、受入部１１が繰り出す紙葉類Ｓの搬送状態を検出する検出部２３と、計数ユニット内搬送構成部２１の検出部２３よりも下流側に設けられて紙葉類Ｓの搬送状態以外の金種等の種類の識別を行う識別本体部２４とを有している。
【００２７】
計数ユニット内搬送構成部２１は、受入部１１から計数ユニット２の左側面に向けて延出する左方延出部２１ａと、左方延出部２１ａの左側面近傍の端部から上方に延出する上方延出部２１ｂと、上方延出部２１ｂの上端部から計数ユニット２の左側面に向け延出して左側面に開口する左方延出部２１ｃと、上方延出部２１ｂの識別部２２よりも上側から分岐し、計数ユニット２の右側面に向け延出してリジェクト部１３に繋がる分岐延出部２１ｅとを有している。計数ユニット内搬送構成部２１には、鉛直方向に沿う上方延出部２１ｂに識別部２２の識別本体部２４が設けられている。
【００２８】
収容ユニット３の内部には、計数ユニット２の左方延出部２１ｃに接続され、左方延出部２１ｃから繰り出された紙葉類Ｓを搬送する収容ユニット内搬送構成部２７が設けられている。収容ユニット内搬送構成部２７で搬送される紙葉類Ｓも、その短辺部の延在方向に沿って移動する。
【００２９】
収容ユニット内搬送構成部２７は、収容ユニット３の右側面の上部に開口し、収容ユニット３の左側面に向け水平且つ直線状に延出して、左側面の上部に開口する連結搬送構成部２７Ａと、連結搬送構成部２７Ａの左側部分から下側に分岐する分岐搬送構成部２７Ｂとを有している。連結搬送構成部２７Ａと分岐搬送構成部２７Ｂとは、それぞれ個別の駆動モータを有しており、独立して駆動可能となっている。１台の計数ユニット２に対し収容ユニット３が複数台連設される場合は、これらを左右方向に並べて連結し、複数台の収容ユニット３の隣り合うもの同士が連結搬送構成部２７Ａを接続させて連結される。
【００３０】
分岐搬送構成部２７Ｂは、連結搬送構成部２７Ａの左側から分岐して鉛直下方に延出し、連結搬送構成部２７Ａとは反対の末端部が、収容ユニット３の右側面に向けて延出する下方延出部２７Ｂａと、下方延出部２７Ｂａの中間位置から分岐して収容ユニット３の右側面に向けて延出する、複数具体的には３つの分岐延出部２７Ｂｂとを有している。下方延出部２７Ｂａの末端部と３つの分岐延出部２７Ｂｂとに、それぞれ、紙葉類Ｓを集積させて収容する収容部１４が接続されている。よって、１台の収容ユニット３には、複数、具体的には４個の収容部１４が設けられている。
【００３１】
図１，図３に示すように、収容部１４は、いずれも、収容ユニット３の前面、即ち紙葉類処理装置１の前面に設けられた開口部１５を有しており、それぞれの開口部１５において、収容ユニット３外、即ち紙葉類処理装置１外に常時開口している。収容ユニット３の前面、即ち紙葉類処理装置１の前面には、収容部１４のそれぞれと高さを合わせて左横に、高さの合う収容部１４の紙葉類Ｓの集積枚数等を表示する状態表示部２８が設けられている。
【００３２】
収容ユニット３に設けられた複数の収容部１４は、前後方向及び左右方向の位置を重ね合わせて上下方向（高さ方向）に所定の間隔をあけて並んで配置されている。複数の収容部１４は、計数ユニット２に設けられた受入部１１及びリジェクト部１３とも、前後方向の位置を重ね合わせている。
【００３３】
図２に示すように、互いに接続された計数ユニット内搬送構成部２１と収容ユニット内搬送構成部２７とが、受入部１１から繰り出された紙葉類Ｓを搬送する搬送部３０を構成している。搬送部３０は、その搬送中に紙葉類Ｓが識別部２２で識別されると、識別部２２よりも下流側の部分が識別部２２の識別結果に基づいて紙葉類Ｓを、リジェクト部１３及び複数の収容部１４のうちの一つに択一的に振り分ける。
【００３４】
紙葉類処理装置１において、リジェクト部１３及び複数の収容部１４は、識別部２２の識別結果に基づいて紙葉類Ｓを分類して紙葉類処理装置１外に取り出し可能に収容する。図１，図３に示すように、複数の収容部１４では、紙葉類処理装置１の前面に設けられた開口部１５から紙葉類処理装置１の前方に紙葉類Ｓが引き抜かれる。
【００３５】
図２に示すように、リジェクト部１３は、受入部１１で紙葉類処理装置１内に取り込まれた紙葉類Ｓのうち、識別部２２で計数対象紙葉類以外のリジェクト紙葉類と識別された紙葉類Ｓを集積させて紙葉類処理装置１外に取り出し可能に収容するものである。リジェクト部１３は、計数ユニット内搬送構成部２１から紙葉類Ｓが繰り出されることになり、このように繰り出された紙葉類Ｓを繰り出し順（言い換えれば受入部１１の取り込み順）に下から上に集積させる。紙葉類Ｓは、計数ユニット内搬送構成部２１の分岐延出部２１ｅからリジェクト部１３に繰り出されると、リジェクト部１３内で、長辺部を前後に沿わせ、短辺部を左右に沿わせて下から上に集積される。
【００３６】
複数の収容部１４は、受入部１１で紙葉類処理装置１内に取り込まれた紙葉類Ｓのうち、識別部２２で計数対象紙葉類と識別されて種類別に計数された紙葉類Ｓを種類別に集積させて紙葉類処理装置１外に取り出し可能に収容するものである。複数の収容部１４は、いずれも、収容ユニット内搬送構成部２７から紙葉類Ｓが繰り出されることになり、このように繰り出された紙葉類Ｓを繰り出し順（言い換えれば受入部１１の取り込み順）に右下から左上の方向に集積させる。
【００３７】
図１，図３に示すように、紙葉類処理装置１の計数ユニット２の前面には、操作入力を受け付けると共に情報表示を行う操作表示部３１が設けられている。また、図２に示すように、計数ユニット２の内部には、計数ユニット２及び計数ユニット２に連結された収容ユニット３の各部を制御する制御部３２と、識別の基準となるマスタデータや識別計数結果のデータ等を記憶する記憶部３３とが設けられている。
【００３８】
計数ユニット２に設けられた受入部１１は、上述したように紙葉類処理装置１の右側面側に右側方及び前方に常時開口するように設けられている。受入部１１は、水平に対して若干左下がりに傾斜して配置される底部４０と、底部４０の左端位置から底部４０に対して垂直をなして上方に延出する壁部４１と、底部４０の後端縁部から鉛直上方に延出する壁部４３とを有している。底部４０及び壁部４１は前後方向に広がっており、壁部４３は鉛直方向及び左右方向に広がっている。底部４０と壁部４１と壁部４３とは互いに垂直に配置されている。受入部１１には、紙葉類Ｓが、壁部４１に一方の長辺部を、壁部４３に一方の短辺部を、それぞれ当接させるようにして、底部４０上に集積状態でセットされる。受入部１１は、底部４０の上方に設けられて壁部４１に沿って昇降するビルプレス４５を有しており、ビルプレス４５は、底部４０上に載置された紙葉類Ｓを底部４０に向けて押圧する。
【００３９】
受入部１１は、底部４０上にセットされた紙葉類Ｓのうちの最下の紙葉類Ｓを左方の計数ユニット内搬送構成部２１に向けて蹴り出す蹴出ローラ５１と、蹴出ローラ５１で蹴り出された紙葉類Ｓを紙葉類処理装置１の内部に取り込んで計数ユニット内搬送構成部２１に受け渡す取込ローラ５２と、取込ローラ５２で取り込む紙葉類Ｓを一枚ずつに分離する分離ローラ５３とを有している。蹴出ローラ５１、取込ローラ５２及び分離ローラ５３が、受入部１１にセットされた紙葉類Ｓを一枚ずつ分離して紙葉類処理装置１の内部に取り込む取込部５５を構成している。
【００４０】
上記した識別部２２の検出部２３は、計数ユニット内搬送構成部２１の左方延出部２１ａにおける受入部１１の近傍位置に配置されており、紙葉類Ｓの受入部１１からの繰り出しの有無及び紙葉類Ｓの搬送状態を検出する。検出部２３は、紙葉類Ｓの光透過率或いは物理的厚さから重送の有無を検出し、紙葉類Ｓの長辺部方向両側のそれぞれの検知タイミングのずれから斜行の有無を検出し、隣り合う紙葉類Ｓのそれぞれの検知タイミングの間隔からニアフィードの有無を検出する。検出部２３で、重送、斜行及びニアフィードのいずれも無いことが検出された紙葉類Ｓは、言い換えれば、検出部２３で正常搬送であることが検出された紙葉類Ｓになる。
【００４１】
識別部２２の識別本体部２４は、紙葉類Ｓの可視光照射時及び紫外線照射時の画像を検出すると共に、それぞれを基準データと比較して、一致すると判定できる基準データの種類を、紙葉類Ｓの種類と特定する。このように種類が特定された紙葉類Ｓは、識別異常なしの紙葉類Ｓとなる。一方、一致すると判定できる基準データがない場合、識別異常ありの紙葉類Ｓと特定する。
【００４２】
計数ユニット２に設けられたリジェクト部１３は、水平に対して若干左下がりに傾斜して配置される底部６０と、底部６０の左端位置から底部６０に略垂直をなして上方に延出する壁部６１と、底部６０の後端縁部から鉛直上方に延出する壁部６３とを有している。底部６０及び壁部６１は前後方向に広がっており、壁部６３は鉛直方向及び左右方向に広がっている。
【００４３】
壁部６１の上部には、計数ユニット内搬送構成部２１の分岐延出部２１ｅの端末位置の近傍に設けられて分岐延出部２１ｅで搬送されてきた紙葉類Ｓを繰り出して底部６０に集積させる羽根車６５が設けられている。羽根車６５は、分岐延出部２１ｅで搬送されてきた紙葉類Ｓを羽根と羽根との間に挟んで共に回転し、この紙葉類Ｓが壁部６１に当接して羽根と羽根との間から抜け出すと、この紙葉類Ｓを羽根で底部６０側、即ち下方に押す。
【００４４】
図示は略すが、リジェクト部１３には、リジェクト部１３内の紙葉類Ｓの有無を検知する紙葉類有無検知センサと、この紙葉類有無センサの検知結果に基づいて点灯状態が切り替えられる有無表示照明とが設けられている。有無表示照明は、リジェクト部１３内に紙葉類Ｓがあることが紙葉類有無検知センサで検知されている状態では点灯し、リジェクト部１３内に紙葉類Ｓがないことが紙葉類有無検知センサで検知されている状態では消灯する。また、有無表示照明は、例えばリジェクト部１３内に紙葉類Ｓがフル状態になると点滅する。
【００４５】
有無表示照明は、例えば、底部６０に、計数ユニット２、即ち紙葉類処理装置１の前面位置及び右側面位置で外に向け発光するように設けられている。羽根車６５で繰り出された紙葉類Ｓを案内して底部６０に集積させる図１，図３に示すカバー６６に有無表示照明を設けても良い。その場合、カバー６６を透明材料で形成し、カバー６６の全体を光らせるようにしても良い。
【００４６】
収容ユニット３に設けられた複数の収容部１４は、いずれも同様の構成であり、紙葉類処理装置１の前面に開口する上記した開口部１５と、水平に対し右下がりに傾斜する収容底部７０と、収容底部７０の後側で広がる収容奥壁部７３とを有している。収容底部７０は、その上方に向く上面７１が右下がりに傾斜して前後方向に広がっている。収容奥壁部７３は、その前方に向く奥壁面７４が鉛直方向及び左右方向に広がっており、言い換えれば前後方向に対し直交するように広がっている。
【００４７】
収容ユニット３は、収容部１４のそれぞれの内側に配置される摺動ステージ部８１を有している。摺動ステージ部８１は、図３の上から１個目、３個目及び４個目の摺動ステージ部８１に示すように全体が収容部１４内に配置される後退端位置と、図３の上から２個目の摺動ステージ部８１に示すように、収容部１４の開口部１５から一部突出する前進端位置との間で、収容部１４に対し摺動可能に設けられている。摺動ステージ部８１は、後退端位置にある状態が紙葉類Ｓを受け入れる待機状態であり、前進端位置にある状態が収容している紙葉類Ｓを前方に押し出す押し出し状態となる。
【００４８】
図４〜図６に示すように、摺動ステージ部８１は、収容底部７０の右端位置から右上がりに延出する支持ステージ８２と、支持ステージ８２よりも後側の押出ステージ８５とを有している。支持ステージ８２は収容底部７０側に向く支持面８３が右上がりに傾斜して前後方向に広がっている。押出ステージ８５は、その前方に向く前面である押出面８６が、支持ステージ８２の後側で鉛直方向及び左右方向に広がっており、言い換えれば前後方向に対し直交するように広がっている。収容底部７０の上面７１及び支持ステージ８２の支持面８３に対し、収容奥壁部７３の奥壁面７４及び押出ステージ８５の押出面８６は略直交するように広がっている。摺動ステージ部８１は、図４，図５に示すように待機状態にあるとき、押出ステージ８５の押出面８６が収容奥壁部７３の奥壁面７４と略面一に配置されている。
【００４９】
図２に示すように、分岐搬送構成部２７Ｂの下方延出部２７Ｂａの末端位置及び各分岐延出部２７Ｂｂの末端位置には、対応する収容部１４内に紙葉類Ｓを繰り出す羽根車７５が設けられている。図４〜図６に示すように、羽根車７５は、収容部１４における収容底部７０の支持ステージ８２とは反対側、即ち左側に設けられている。羽根車７５には、多数の羽根７６が周方向に所定の等間隔で周方向同側に延出するように設けられている。羽根車７５は、支持ステージ８２と対向する側が上から下に移動するように回転することになり、支持ステージ８２と対向する側に位置する羽根７６は、固定端が下側に自由端が上側に位置するように延びている。
【００５０】
羽根車７５は、分岐搬送構成部２７Ｂで左側から右側に搬送されてきた紙葉類Ｓを上部に位置する羽根７６と羽根７６との間に挟んで紙葉類Ｓと共に回転し、この紙葉類Ｓが収容底部７０の上面７１に当接して羽根７６と羽根７６との間から抜け出すと、この紙葉類Ｓを羽根７６で支持ステージ８２側に押す。このとき、紙葉類Ｓは、短辺部を略上下に沿わせて収容底部７０の上面７１に下端の長辺部で当接して支持されると共に、上面７１にガイドされて支持ステージ８２の支持面８３側に移動し、支持ステージ８２の支持面８３に厚さ方向一側の面が重なって支持されることになる。次に繰り出される紙葉類Ｓは、同様にして、短辺部を略上下に沿わせて収容底部７０の上面７１に下端の長辺部で当接して支持されると共に、上面７１にガイドされて支持ステージ８２の支持面８３側に移動し、既に支持ステージ８２に支持されている紙葉類Ｓの厚さ方向他側の面に、厚さ方向一側の面が重なって支持される。このようにして、紙葉類Ｓが厚さ方向に順に集積されて、支持ステージ８２の支持面８３に載置される。なお、図示は略すが、複数の収容部１４のそれぞれにも、リジェクト部１３と同様の紙葉類有無センサ及び有無表示照明が設けられている。収容部１４の有無表示照明は、例えば、収容底部７０に、収容ユニット３、即ち紙葉類処理装置１の前面位置で外に向け発光するように設けられている。
【００５１】
図４〜図６に示すように、収容部１４は、上記した上面７１を含む収容底部７０を有する板金部品である底部構成部材１０１と、上記した奥壁面７４を含む収容奥壁部７３を有する合成樹脂製の奥壁部構成部材１０２と、２つの上記した羽根車７５と、これら羽根車７５を支持する羽根車支持軸１０３と、羽根車支持軸１０３を回転可能に支持する合成樹脂製の支持軸支持部材１０４とを有している。
【００５２】
底部構成部材１０１は、紙葉類処理装置１内に位置固定で設けられた板金部品である摺動ステージ部支持部材１１１に連結部材１１２を介して固定されており、この底部構成部材１０１に支持軸支持部材１０４が固定されている。よって、摺動ステージ部支持部材１１１に固定された底部構成部材１０１及び支持軸支持部材１０４も紙葉類処理装置１内に位置固定で設けられている。支持軸支持部材１０４は、奥壁部構成部材１０２にも固定されている。
【００５３】
支持軸支持部材１０４に支持される羽根車支持軸１０３及びこの羽根車支持軸１０３に支持される２つの羽根車７５は、羽根車支持軸１０３の軸方向に所定の間隔をあけて取り付けられており、紙葉類処理装置１内に位置固定で回転可能に設けられている。また、奥壁部構成部材１０２も紙葉類処理装置１内に位置固定で設けられている。
【００５４】
底部構成部材１０１は、上記した上面７１を含む収容底部７０と、収容底部７０の羽根車７５側の端部に形成されて、羽根車７５との干渉を避ける、羽根車７５と同数、即ち２箇所の逃溝１２１と、収容底部７０の逃溝１２１とは反対側の端縁部から収容底部７０に対し垂直に立ち上がる支持壁部１２２と、支持壁部１２２の収容底部７０とは反対側の端縁部から収容底部７０と平行に、収容底部７０とは反対方向に延出する延出部１２５と、延出部１２５の支持壁部１２２とは反対側の端縁部から支持壁部１２２と平行に、支持壁部１２２とは反対方向に延出する取付部１２６とを有している。支持壁部１２２の上面１２３は、収容底部７０の上面７１と繋がって上面７１に対し垂直状に広がっている。底部構成部材１０１は、取付部１２６に連結部材１１２が取り付けられ、連結部材１１２を介して摺動ステージ部支持部材１１１に取り付けられている。
【００５５】
支持軸支持部材１０４は、羽根車支持軸１０３を回転可能に支持すると共に一方の羽根車７５の他方の羽根車７５とは反対側で羽根車支持軸１０３を覆う軸保護部１３１と、他方の羽根車７５の一方の羽根車７５とは反対側で羽根車支持軸１０３を覆う軸保護部１３２と、２つの羽根車７５の間で羽根車支持軸１０３を覆う軸保護部１３３とを有している。図７に示すように、羽根車支持軸１０３は、紙葉類処理装置１内に位置固定で設けられた板金部品である周囲支持部材１４１にも回転可能に支持されている。
【００５６】
周囲支持部材１４１は、羽根車支持軸１０３を支持する軸支持板部１４３と、この軸支持板部１４３の一端縁部から軸支持板部１４３に対し垂直に延出する駆動系支持板部１４４と、軸支持板部１４３の駆動系支持板部１４４とは反対側の他端縁部から、図４〜図６に示すように、軸支持板部１４３に対し垂直に延出する中間延出板部１４５と、この中間延出板部１４５の軸支持板部１４３とは反対側の端縁部から軸支持板部１４３と平行に、軸支持板部１４３に向かい合うように延出する先端延出板部１４６とを有している。
【００５７】
図７に示すように、軸支持板部１４３の後側には、複数のギア等で構成される羽根車用伝達部１５１が設けられており、軸支持板部１４３の前側には、羽根車用伝達部１５１を介して羽根車支持軸１０３、即ち羽根車７５を回転駆動するステッピングモータである羽根車駆動モータ１５２が取り付けられている。言い換えれば、羽根車用伝達部１５１は、羽根車駆動モータ１５２の駆動力を羽根車７５に伝達する。羽根車７５は、羽根車駆動モータ１５２で駆動されると、羽根７６を、図４〜図６に示す底部構成部材１０１の逃溝１２１内を上から下に通過させる方向に回転駆動され、分岐搬送構成部２７Ｂの下方延出部２７Ｂａ及び３つの分岐延出部２７Ｂｂのうちの対応するもので搬送されてきた紙葉類Ｓを受け取って収容部１４内に繰り出す。
【００５８】
図７に示すように、周囲支持部材１４１には、軸支持板部１４３の駆動系支持板部１４４側の端部に、連結板１５５を介して上記した摺動ステージ部支持部材１１１が連結されている。図４〜図６に示すように、摺動ステージ部支持部材１１１は、周囲支持部材１４１の中間延出板部１４５に沿っており、中間延出板部１４５と対向するように配置されている。摺動ステージ部支持部材１１１と連結板１５５と周囲支持部材１４１とが連結されて全体として平面視コ字状をなしている。これら周囲支持部材１４１、連結板１５５及び摺動ステージ部支持部材１１１の内側に、上記した底部構成部材１０１と支持軸支持部材１０４と羽根車支持軸１０３と２つの羽根車７５と奥壁部構成部材１０２と摺動ステージ部８１とが設けられている。摺動ステージ部支持部材１１１及び周囲支持部材１４１の、軸支持板部１４３とは反対側が図１，図３に示す収容部１４の開口部１５の直後位置に配置される。
【００５９】
摺動ステージ部８１は、図８に示すように、上記した支持ステージ８２及び押出ステージ８５と、図９に示すように、支持ステージ８２を支持するステージ支持軸１６１と、ステージ支持軸１６１を支持するベースステージ１６２と、押出ステージ８５及びベースステージ１６２を支持するブラケット１６３と、ブラケット１６３を支持するレール部材１６４と、付勢部材１６５とを有している。
【００６０】
ブラケット１６３はレール部材１６４に固定されており、押出ステージ８５及びベースステージ１６２はブラケット１６３に固定されている。よって、レール部材１６４とブラケット１６３と押出ステージ８５とベースステージ１６２とは一体的に固定されている。支持ステージ８２は、ステージ支持軸１６１を中心に回動することによりベースステージ１６２に対し揺動する。即ち、支持ステージ８２はベースステージ１６２に対し揺動可能となっている。ステージ支持軸１６１の中心軸が、支持ステージ８２の揺動中心となる。
【００６１】
レール部材１６４は、直線状に延在するレール部１７１と、レール部１７１の延在方向の一側に設けられたラックギア部１７２と、レール部１７１の延在方向の他側に設けられた、上記ブラケット１６３が取り付けられるブラケット取付部１７３とを有している。ラックギア部１７２及びブラケット取付部１７３は、レール部１７１の延在方向に対し直交する方向の同側に、レール部１７１の延在方向に並んで設けられている。レール部１７１は、その延在方向に延びる一対のレール溝１７５，１７６が反対向きに開口するように形成されており、延在方向に直交する面での断面がＨ字状をなしている。ラックギア部１７２は、レール部１７１の延在方向に直線状に並んで配置される多数の歯部１７８を有している。一方のレール溝１７５は、ラックギア部１７２の歯部１７８が向く方向と同じ向きに開口しており、他方のレール溝１７６は、歯部１７８が向く方向とは反対向きに開口している。
【００６２】
ブラケット１６３は、レール部材１６４のブラケット取付部１７３に取り付けられるレール部材取付部１８１と、レール部材１６４に取り付けられた状態で一対のレール溝１７５，１７６が並ぶ方向であって一対のレール溝１７５，１７６が延在する方向に広がるベースステージ取付部１８２と、レール部材１６４に取り付けられた状態でベースステージ取付部１８２のラックギア部１７２側の端部からベースステージ取付部１８２に対し垂直に、レール部１７１とは反対方向に広がる押出ステージ取付部１８３とを有している。押出ステージ取付部１８３は、レール部１７１の延在方向に対して直交するように広がっている。
【００６３】
ベースステージ１６２は、合成樹脂製の板状部材であり、ブラケット１６３のベースステージ取付部１８２に取り付けられるブラケット取付部１９１と、ブラケット１６３に取り付けられた状態でブラケット取付部１９１からラックギア部１７２とは反対方向に延出するベース延出部１９２とを有している。ベースステージ１６２は、ブラケット取付部１９１とベース延出部１９２とを結ぶ方向に延在しており、この延在方向に沿う一側の端縁部に、この端縁部に沿って延在するようにステージ支持軸１６１を支持する軸支持部１９３を有している。ベースステージ１６２は、図１０，図１１に示すように、軸支持部１９３の近傍に、支持ステージ８２の揺動を規制するベース側突当部１９５を有している。
【００６４】
押出ステージ８５は、上記した押出面８６を有する押出壁部２０１の押出面８６とは反対側が、図９に示すようにブラケット１６３の押出ステージ取付部１８３に固定されている。押出ステージ８５は、押出壁部２０１の一部を構成すると共にブラケット１６３に取り付けられる主体壁部２０３と、ブラケット１６３に取り付けられた状態で主体壁部２０３の周縁部からベースステージ１６２とは反対方向に延出する主体胴部２０４とを有している。主体壁部２０３と主体胴部２０４とが押出主体部２０５を構成している。主体壁部２０３は、主体胴部２０４とは反対側の面が、図８に示すように、押出面８６の一部を構成する主体押出面２０６となっている。図９に示すように、主体胴部２０４は、そのレール部材１６４側が胴部開口２１１となっており、主体壁部２０３と平行な面での断面が略コ字状をなしている。主体胴部２０４内は空間部２１２となっており、この空間部２１２は胴部開口２１１を介してレール部材１６４側に抜けている。
【００６５】
押出ステージ８５は、押出主体部２０５のレール部材１６４とは反対側からレール部材１６４とは反対方向に延出する延長押出部２２１を有している。図８に示すように、延長押出部２２１は、主体壁部２０３の延長方向にほぼ延びて押出壁部２０１の一部を構成する延長壁部２２２と、延長壁部２２２の周縁部から主体胴部２０４と同側に延出する延長胴部２２３とを有している。延長壁部２２２の延長胴部２２３とは反対側が延長押出面２２４となっている。主体壁部２０３と延長壁部２２２とが押出壁部２０１を構成する。延長押出面２２４は、主体押出面２０６と略同一平面に配置されており、延長押出面２２４と主体押出面２０６とが押出壁部２０１の押出面８６を構成する。
【００６６】
図１０，図１１に示すように、主体壁部２０３には、延長押出部２２１の基端近傍位置に、主体壁部２０３を厚さ方向に貫通する貫通穴２３１が複数形成されている。また、主体壁部２０３には、延長押出部２２１とは反対側に、主体押出面２０６よりも凹む円弧状の複数、具体的には３箇所のガイド溝２３２が形成されている。これらのガイド溝２３２は、ベースステージ１６２に支持されたステージ支持軸１６１を中心とする同じ中心角の円弧状をなしている。
【００６７】
支持ステージ８２は、合成樹脂製の板状部材であり、主板部２４１と、主板部２４１の長手方向の一側から主板部２４１よりも狭い幅で主板部２４１の延長方向に突出する突出部２４２とを有している。支持ステージ８２は、これら主板部２４１及び突出部２４２に支持面８３が形成されている。支持ステージ８２は、主板部２４１の突出部２４２側の端縁部と、これに繋がる突出部２４２の端縁部とが、切り欠かれた形状の切欠部２４３を形成している。よって、支持ステージ８２は、突出部２４２と切欠部２４３とが並んで設けられた形状をなしている。支持ステージ８２は、主板部２４１の突出部２４２とは反対側の端縁部から突出部２４２とは反対方向に突出する複数、具体的には３箇所の係合突起２４５を有している。
【００６８】
主板部２４１には、板厚方向に貫通する貫通孔２４６が複数、具体的には２箇所形成されている。主板部２４１は、長手方向の長さが、この紙葉類処理装置１において識別して収容部１４に収容可能な紙葉類Ｓのうちの長辺部が最も短い紙葉類Ｓの長辺部の長さよりもやや短くなっている。また、支持ステージ８２の主板部２４１と突出部２４２とを合わせた長手方向の長さは、この紙葉類処理装置１において識別して収容部１４に収容可能な紙葉類Ｓのうちの長辺部が最も長い紙葉類Ｓの長辺部の長さよりも長くなっている。突出部２４２は、突出部２４２と切欠部２４３とを結ぶ方向の幅が、紙葉類Ｓの短辺部の長さよりも短くなっている。
【００６９】
支持ステージ８２は、主板部２４１と突出部２４２とが連続する側の端縁部に、ベースステージ１６２に支持されたステージ支持軸１６１に連結される支持軸連結部２５１が設けられている。支持ステージ８２は、ステージ支持軸１６１に連結されることにより、ベースステージ１６２に揺動可能に支持される。支持ステージ８２には、支持軸連結部２５１の近傍に支持側突当部２５２が形成されており、図１０に示すように、この支持側突当部２５２がベースステージ１６２のベース側突当部１９５に当接する。支持ステージ８２は、支持側突当部２５２がベース側突当部１９５に当接した状態で、ベースステージ１６２とのなす角が鋭角（例えば３０度程度）となり、この状態からベースステージ１６２とのなす角を小さくする方向に、図１１に示すようにベースステージ１６２と重なり合うまで揺動可能となっている。ベースステージ１６２は、支持ステージ８２に重なり合う状態では、支持ステージ８２の範囲内に収まる。
【００７０】
付勢部材１６５は、捻りばねであり、コイル部分の内側にステージ支持軸１６１を挿通させ、一方の腕部分をベースステージ１６２に当接させ、他方の腕部分を支持ステージ８２に当接させている。付勢部材１６５は、支持ステージ８２の支持側突当部２５２がベースステージ１６２のベース側突当部１９５に当接する基本状態となるように支持ステージ８２及びベースステージ１６２を付勢する。言い換えれば、付勢部材１６５は、支持ステージ８２がベースステージ１６２から離間するように支持ステージ８２及びベースステージ１６２を付勢する。支持ステージ８２は、この基本状態から、ベースステージ１６２とのなす角が最小となってベースステージ１６２と重なり合う最大揺動状態まで、付勢部材１６５の付勢力に抗して揺動する。
【００７１】
支持ステージ８２は、ステージ支持軸１６１を介してベースステージ１６２に支持された状態で、その複数の係合突起２４５が、それぞれベースステージ１６２の複数のガイド溝２３２のうちの対応する１つに入り込む。ガイド溝２３２は、支持ステージ８２の全揺動範囲での係合突起２４５の旋回角度に対応した中心角度に形成されている。
【００７２】
図４〜図６に示すように、摺動ステージ部支持部材１１１は、水平方向に対して傾斜して広がっており、具体的には、水平方向に対して４５度傾いた状態で右上がりに広がっている。摺動ステージ部支持部材１１１には、その上側となる羽根車７５側に、図７に示すように、高さ位置を合わせた２個のガイドローラ２６１，２６２と、これらに対して高さ位置を上側にずらした１個のガイドローラ２６３とが取り付けられている。この１個のガイドローラ２６３は、２個のガイドローラ２６１，２６２の間の中央位置に配置されている。これらのガイドローラ２６１〜２６３は、水平方向に対して４５度傾いた状態で、摺動ステージ部支持部材１１１から左上がりに突出している。
【００７３】
摺動ステージ部８１は、そのレール部材１６４のレール溝１７５にガイドローラ２６３を入り込ませ、レール溝１７６にガイドローラ２６１，２６２を入り込ませることにより、これらのガイドローラ２６１〜２６３に支持されている。ガイドローラ２６１〜２６３は、レール部１７１を水平前後方向に延在するように支持することになり、摺動ステージ部８１を、レール部１７１の延在方向、即ち水平前後方向に摺動可能に支持する。言い換えれば、ガイドローラ２６１〜２６３は、支持する摺動ステージ部８１が前後方向に摺動するように配置されている。これらガイドローラ２６１〜２６３は、収容部１４の一部を構成しており、よって、摺動ステージ部８１は、収容部１４に摺動可能に設けられている。
【００７４】
摺動ステージ部８１は、支持ステージ８２及びベースステージ１６２を押出ステージ８５よりも前側に配置した状態で、これらのガイドローラ２６１〜２６３に支持されている。よって、ガイドローラ２６１〜２６３で支持された摺動ステージ部８１は、前部に支持ステージ８２及びベースステージ１６２を有し、後部に押出ステージ８５を有して、前後方向にスライドする。その際に、摺動ステージ部８１は、レール部材１６４とブラケット１６３と押出ステージ８５とベースステージ１６２とが一体に前後方向に移動し、支持ステージ８２も、前後方向についてはこれらと一体に移動する。摺動ステージ部支持部材１１１及びガイドローラ２６１〜２６３が、摺動ステージ部８１を摺動可能に支持するステージ支持部２６５を構成している。
【００７５】
このステージ支持部２６５に支持された状態で、摺動ステージ部８１は、ベースステージ１６２が水平方向に対して４５度傾いて右上がりに広がる状態となる。また、この状態で、摺動ステージ部８１は、ステージ支持軸１６１、ベースステージ１６２の軸支持部１９３及び支持ステージ８２の支持軸連結部２５１が、図４〜図６に示すように、底部構成部材１０１の延出部１２５と取付部１２６とで形成される段差部分に入り込むように配置される。また、この状態で、摺動ステージ部８１は、支持ステージ８２をベースステージ１６２よりも羽根車７５側に位置させ、押出ステージ８５が、支持ステージ８２側に押出主体部２０５を有し、押出主体部２０５よりも支持ステージ８２とは反対側に延長押出部２２１を延出させている。
【００７６】
ステージ支持部２６５に支持された状態で、図４に示すように、支持ステージ８２がベースステージ１６２に対し基本状態にあるとき、支持ステージ８２の支持面８３は、揺動中心であるステージ支持軸１６１から右上がりに広がる。つまり、支持ステージ８２の支持面８３は、上を向いた状態で揺動中心から斜め上方へと広がっている。このとき、支持ステージ８２は、下部側に突出部２４２が、上部側に切欠部２４３が設けられることになる。
【００７７】
また、ステージ支持部２６５に支持された状態で、図５に示すように、支持ステージ８２がベースステージ１６２に対し最大揺動状態となると、支持ステージ８２の支持面８３は、支持壁部１２２の上面１２３と略面一となる。この最大揺動状態でも、支持ステージ８２の支持面８３は、基本状態にあるときと同様、揺動中心であるステージ支持軸１６１から右上がりに広がる。つまり、最大揺動状態でも、支持ステージ８２の支持面８３は、上を向いた状態で揺動中心から斜め上方へと広がっている。但し、基本状態にあるときの支持ステージ８２の支持面８３と収容底部７０の上面７１とのなす角よりも、最大揺動状態にあるときの支持ステージ８２の支持面８３と収容底部７０の上面７１とのなす角の方が大きくなる。
【００７８】
また、ステージ支持部２６５に支持された状態で、図７に示すように、摺動ステージ部８１は、ラックギア部１７２が、摺動ステージ部支持部材１１１と周囲支持部材１４１の駆動系支持板部１４４との間に配置される。周囲支持部材１４１の駆動系支持板部１４４には、摺動ステージ部支持部材１１１とは反対側にステッピングモータであるステージ駆動モータ２７１が、その駆動軸２７２を駆動系支持板部１４４を通して摺動ステージ部支持部材１１１側に突出させるように取り付けられている。ステージ駆動モータ２７１の駆動軸２７２には、駆動系支持板部１４４よりも摺動ステージ部支持部材１１１側に突出する部分に、駆動ギア２７３が固定されている。駆動系支持板部１４４には、駆動軸２７２よりも下側に、ギア支持軸２８１が取り付けられており、このギア支持軸２８１の摺動ステージ部支持部材１１１側に突出する部分には、ピニオンギア２８２が取り付けられている。ピニオンギア２８２は、駆動ギア２７３に噛み合う大ギア部２８３と、ラックギア部１７２に噛み合う、大ギア部２８３よりも歯数が少ない小ギア部２８４とを有している。
【００７９】
これにより、ステージ駆動モータ２７１が正逆回転すると、駆動ギア２７３がピニオンギア２８２を回転駆動し、ピニオンギア２８２がラックギア部１７２を直動駆動することになり、その結果、摺動ステージ部８１が前進及び後退する。駆動ギア２７３、ギア支持軸２８１及びピニオンギア２８２が、ステージ駆動モータ２７１の駆動力を摺動ステージ部８１に伝達するステージ用伝動部２８５を構成している。
【００８０】
ここで、摺動ステージ部８１が後退したとき、駆動系支持板部１４４と、ステージ駆動モータ２７１と、駆動ギア２７３、ギア支持軸２８１及びピニオンギア２８２を含むステージ用伝動部２８５とが、押出ステージ８５の主体胴部２０４内の空間部２１２内に入り込む。このとき、押出ステージ８５の外側にあるレール部材１６４のレール部１７１に噛み合うピニオンギア２８２の小ギア部２８４は、主体胴部２０４の胴部開口２１１によって、押出ステージ８５との干渉を回避することになる。このように、摺動ステージ部８１が後退したとき、押出ステージ８５の主体胴部２０４は、その内側の空間部２１２に、駆動系支持板部１４４とステージ駆動モータ２７１とステージ用伝動部２８５とを収納する。
【００８１】
摺動ステージ部８１は、図４，図５に示す後退端位置と、図６，図７に示す前進端位置との間で摺動することになる。摺動ステージ部８１は、図４，図５に示すように、後退端位置にあるとき、支持ステージ８２が全体的に底部構成部材１０１と前後方向に重なり合って、前端部が底部構成部材１０１の前端部と位置を重ね合わせる。また、摺動ステージ部８１は、図６，図７に示す前進端位置にあるとき、支持ステージ８２が底部構成部材１０１と前後方向に部分的に重なり合うものの、前端部が底部構成部材１０１の前端部よりも前方に位置する。このとき、支持ステージ８２は、突出部２４２が、底部構成部材１０１よりも前方に突出する。但し、図７に示すように、主板部２４１は底部構成部材１０１よりも前方に突出することはない。
【００８２】
図４〜図６に示すように、奥壁部構成部材１０２の収容奥壁部７３は、押出ステージ８５の押出主体部２０５と、周囲支持部材１４１の中間延出板部１４５との間に配置されている。収容奥壁部７３には、摺動ステージ部８１の前進時及び後退時に押出ステージ８５の延長押出部２２１を挿通させる挿通溝２９１が形成されている。摺動ステージ部８１は、図４，図５に示す後退端位置にあるとき、押出ステージ８５の押出面８６が、収容奥壁部７３の奥壁面７４と、略面一となる。摺動ステージ部８１は、この状態から、図６に示す前進端位置に向け前進すると、押出面８６が奥壁面７４よりも前側に位置する。
【００８３】
摺動ステージ部８１は、図３の上から１個目、３個目及び４個目の摺動ステージ部８１に示すように後退端位置に位置する待機状態にあるとき、その全体が、収容部１４の開口部１５よりも後方に位置することになる。また、摺動ステージ部８１は、図３の上から２個目の摺動ステージ部８１に示すように、前進端位置に位置する押し出し状態にあるとき、支持ステージ８２の一部である突出部２４２が収容部１４の開口部１５よりも前方に突出することになる。なお、摺動ステージ部８１が前進端位置にあるときでも、支持ステージ８２の主板部２４１は、開口部１５よりも後方に位置する。
【００８４】
紙葉類Ｓを収容部１４に繰り出す場合、図４に示すように、摺動ステージ部８１が後退端位置にある待機状態で、収容部１４は、搬送部３０の駆動に合わせて羽根車駆動モータ１５２が羽根車用伝達部１５１を介して羽根車支持軸１０３及び２つの羽根車７５を回転駆動することになる。すると、搬送部３０が一枚ずつ間隔をあけて搬送してきた紙葉類Ｓを羽根車７５が羽根７６と羽根７６との間に挟んで紙葉類Ｓと共に回転する。すると、この紙葉類Ｓは収容底部７０の上面７１に当接して羽根７６と羽根７６との間から抜け出す。その後、この紙葉類Ｓを羽根車７５が羽根７６で支持ステージ８２側に押す。これにより、紙葉類Ｓは、短辺部を略上下に沿わせて収容底部７０の上面７１に下端の長辺部で当接して支持されると共に、上面７１にガイドされて支持ステージ８２の支持面８３側に移動し、底部構成部材１０１の支持壁部１２２の上面１２３に下端の長辺部が当接しつつ支持ステージ８２の支持面８３に厚さ方向一側の面が重なって支持されることになる。
【００８５】
次に繰り出される紙葉類Ｓは、同様にして、短辺部を略上下に沿わせて収容底部７０の上面７１に下端の長辺部で当接して支持されると共に、上面７１にガイドされて支持ステージ８２の支持面８３側に移動し、既に支持ステージ８２に支持されている紙葉類Ｓの厚さ方向他側の面に、厚さ方向一側の面が重なって支持される。このようにして、紙葉類Ｓが厚さ方向に順に集積される。このとき、紙葉類Ｓは押出ステージ８５の押出面８６よりも前側で押出面８６に近接するようにして、支持ステージ８２に集積される。このように、摺動ステージ部８１は、支持ステージ８２が紙葉類Ｓの厚さ方向一側の面に当接して紙葉類Ｓを支持することになる。この支持ステージ８２は、揺動可能となっている。
【００８６】
支持ステージ８２は、何も載置されていないとき及び載置されている紙葉類Ｓの集積枚数が少ないときには、図４に示すように、基本状態にある。紙葉類Ｓの収容部１４への繰り出しで、支持ステージ８２が支持する紙葉類Ｓの集積枚数が増えていくと、鉛直に対し傾斜する支持ステージ８２に加わる荷重が増大し、紙葉類Ｓの集積枚数に応じて支持ステージ８２が、付勢部材１６５の付勢力に抗して、図５に示すようにベースステージ１６２側に揺動する。言い換えれば、支持ステージ８２は、載置される紙葉類Ｓの枚数が増えるに連れて、ベースステージ１６２に近接するように揺動して徐々に下がっていく。このように、支持ステージ８２がベースステージ１６２及び押出ステージ８５に対し揺動する際に、支持ステージ８２は３箇所の係合突起２４５をそれぞれ一対一で対応するガイド溝２３２内に進入させた状態のまま旋回移動させる。このようにして、収容部１４は、紙葉類Ｓを収容することになり、その際に、摺動ステージ部８１は、支持ステージ８２が、収容部１４に収容される紙葉類Ｓを支持する。このとき、係合突起２４５がガイド溝２３２に入り込むことで、支持ステージ８２と押出ステージ８５との間への紙葉類Ｓの挟まりを規制する。
【００８７】
このようにして収容部１４への紙葉類Ｓの繰り出しが終了すると、羽根車駆動モータ１５２が停止し、ステージ駆動モータ２７１がステージ用伝動部２８５を介して摺動ステージ部８１を直動駆動する。即ち、ステージ駆動モータ２７１が駆動ギア２７３を介してピニオンギア２８２を回転させ、ピニオンギア２８２が、これに噛み合うラックギア部１７２を含む摺動ステージ部８１を駆動する。すると、摺動ステージ部８１がガイドローラ２６１〜２６３の案内で、前進端位置に向け摺動する。支持ステージ８２に集積されている紙葉類Ｓは、位置固定の収容底部７０の上面７１及び支持壁部１２２の上面１２３にも当接しており、このため、摺動ステージ部８１の摺動の初期には、収容底部７０の上面７１及び支持壁部１２２の上面１２３との摩擦でその位置に一時留まる。その後、摺動ステージ部８１は、押出ステージ８５の押出面８６が、支持ステージ８２に集積されている紙葉類Ｓの後端部に当接することになって、紙葉類Ｓを押すことになる。その後は、摺動ステージ部８１と、その支持ステージ８２に集積されている紙葉類Ｓとが一緒に前進する。ステッピングモータであるステージ駆動モータ２７１は、例えばステップ数で摺動ステージ部８１が前進端位置まで移動したことを検知すると停止する。
【００８８】
摺動ステージ部８１が前進端位置まで移動すると、支持ステージ８２の突出部２４２と、支持ステージ８２に集積されている紙葉類Ｓとが、図３に示すように、収容部１４の開口部１５から突出する。これにより、収容部１４から紙葉類Ｓを取り出す利用者は、収容部１４から飛び出した突出部２４２及び紙葉類Ｓを見ることで、どの収容部１４の紙葉類Ｓが押し出されたのか容易に確認することができる。
【００８９】
言い換えれば、摺動ステージ部８１は、一部が収容部１４の外部に突出するまで摺動して、支持している紙葉類Ｓを一部が収容部１４の外部に突出するまで押し出し方向前方に押し出す。ここで、収容部１４の開口部１５は、紙葉類処理装置１の前面に形成されて紙葉類処理装置１の外部に開口しているため、摺動ステージ部８１は、一部が紙葉類処理装置１の外部に突出するまで摺動して、支持している紙葉類Ｓを一部が紙葉類処理装置１の外部に突出するまで押し出し方向前方に押し出す。以下、摺動ステージ部８１が紙葉類Ｓを押し出す方向を、単に押し出し方向とする。押出ステージ８５は、支持ステージ８２で支持された紙葉類Ｓの押し出し方向の後端部に当接可能となっている。
【００９０】
押出ステージ８５は、摺動ステージ部８１が押し出し方向前方（外部側）に移動するのに伴って、支持ステージ８２と一体となって同時に押し出し方向前方に移動し、支持ステージ８２に載置されている紙葉類Ｓを押出主体部２０５で外部に押し出す。この押出ステージ８５には、押出主体部２０５よりも支持ステージ８２とは反対側に延出する延長押出部２２１が設けられている。この延長押出部２２１は、図６に示すように、羽根車７５の外周軌道内まで延長している。これにより、この延長押出部２２１が、羽根車７５に残存している紙葉類Ｓ等、押出主体部２０５では押し出すことができない位置にある収容部１４内の紙葉類Ｓであっても押し出すことができる。なお、延長押出部２２１は、摺動ステージ部８１が前進端位置まで移動しても、全体として羽根車７５よりも後側（奥側）に配置され、羽根車７５とは接触しないようになっている。
【００９１】
摺動ステージ部８１は、押し出し方向の前端部に、押し出し方向の前方に突出する突出部２４２と切欠部２４３とが並んで設けられている。突出部２４２は摺動ステージ部８１の前端部の左下側に、切欠部２４３は摺動ステージ部８１の前端部の右上側に、それぞれ配置されている。図７に示すように、切欠部２４３は、摺動ステージ部８１に載置された紙葉類Ｓの一部を摺動ステージ部８１の外側に突出させる。
【００９２】
即ち、摺動ステージ部８１において、押出ステージ８５の押出面８６から支持ステージ８２の主板部２４１の突出部２４２側の端部までの距離は、この紙葉類処理装置１において識別して収容部１４に収容可能な紙葉類のうち最も長辺部が短いものよりも、短くなっている。また、収容底部７０の上面７１から突出部２４２の上面７１とは反対側までの距離は、この紙葉類処理装置１において識別して収容部１４に収容可能な紙葉類のうちの短辺部が最も短い紙葉類Ｓの短辺部の長さよりも短くなっている。よって、この紙葉類処理装置１において識別して収容部１４に収容可能な紙葉類Ｓであれば、収容底部７０及び支持ステージ８２に支持されて押出面８６に当接した状態にあれば、前端側の角部と、この角部近傍の長辺部及び短辺部の一部とが、切欠部２４３によって、支持ステージ８２から外に突出する。
【００９３】
このとき、切欠部２４３は、突出部２４２よりも上側に位置するため、紙葉類Ｓの前端部の上部側の角部を支持ステージ８２から外に突出させる。切欠部２４３は、この紙葉類処理装置１において識別して収容部１４に収容可能な紙葉類Ｓのうちの最も短辺部の長さが短い紙葉類Ｓの前上部の角部とこの角部周辺の長辺部及び短辺部とを支持ステージ８２から外に突出させると共に、この紙葉類処理装置１において識別して収容部１４に収容可能な紙葉類Ｓのうちの最も長辺部の長さが短い紙葉類Ｓの前上部の角部とこの角部周辺の長辺部及び短辺部とを支持ステージ８２から外に突出させるように設けられている。
【００９４】
これにより、収容部１４から紙葉類Ｓを取り出す利用者は、紙葉類処理装置１の右方且つ上方側から紙葉類Ｓの前部の右方且つ上方側の角部周辺を長辺部側から掴んで、紙葉類Ｓを取り出すことができる。当然、紙葉類処理装置１の前方から紙葉類Ｓの前部の右方且つ上方側の角部周辺を短辺部側から掴んで、紙葉類Ｓを取り出すこともできる。収容部１４から紙葉類Ｓが取り出されると、支持ステージ８２上には紙葉類Ｓがなくなるため、支持ステージ８２は、付勢部材１６５の付勢力で支持側突当部２５２を、ベースステージ１６２のベース側突当部１９５に当接させるまで回動して最大回動状態に戻る。また、支持ステージ８２上に紙葉類Ｓがなくなったことを、収容部１４或いは摺動ステージ部８１に設けられた図示略の残留検知センサが検知すると、ステージ駆動モータ２７１がステージ用伝動部２８５を介して摺動ステージ部８１を直動駆動して、摺動ステージ部８１を後退端位置に戻す。摺動ステージ部８１を後退端位置に位置させると、ステージ駆動モータ２７１は停止する。
【００９５】
紙葉類処理装置１は、計数ユニット２の受入部１１に集積状態で投入された紙葉類Ｓを装置内に一枚ずつ取り込み、受入部１１から取り込まれた紙葉類Ｓを搬送部３０で搬送する。そして、搬送部３０で搬送中の紙葉類Ｓを搬送部３０に設けられた識別部２２で識別し、識別部２２で識別された紙葉類Ｓを、種別に応じて収容ユニット３の対応する収容部１４に分類して外部に取り出し可能に収容する。
【００９６】
紙葉類処理装置１は、分類処理開始前に、各収容部１４に収容する計数対象紙葉類としての紙葉類Ｓの種類が設定されており、紙葉類Ｓを計数し、この設定に従って分類する。例えば、複数の収容部１４のうちの一つの第１の収容部１４に、識別部２２で計数後の紙葉類Ｓとして万円券の紙幣を、他の一つの第２の収容部１４に、識別部２２で計数後の紙葉類Ｓとして五千円券の紙幣を、更に他の一つの第３の収容部１４に、識別部２２で計数後の紙葉類Ｓとして千円券の紙幣を、更に他の一つの第４の収容部１４に、識別部２２で計数後の紙葉類Ｓとして二千円券の紙幣を、それぞれ収容するように設定されている。なお、全ての収容部１４は、分類処理開始前には、摺動ステージ部８１が後退端位置にある待機状態となってる。
【００９７】
そして、受入部１１に紙葉類Ｓが集積状態でセットされて操作表示部３１にスタート操作が入力されると、制御部３２は、受入部１１にセットされた集積状態の紙葉類Ｓを取込部５５で一枚分離して繰り出させて紙葉類処理装置１内に取り込み、この紙葉類Ｓを搬送部３０で搬送させる。搬送部３０での搬送開始直後に、受入部１１の近傍に設けられた検出部２３が、この紙葉類Ｓの搬送状態を検出する。この紙葉類Ｓについて、検出部２３で検出された搬送状態が、重送、斜行及びニアフィードを含む異常搬送状態のリジェクト紙葉類である場合、制御部３２は、この紙葉類Ｓを計数せずに、搬送部３０を制御して、リジェクト部１３に搬送して収容させる。
【００９８】
他方、この紙葉類Ｓについて、検出部２３で検出された搬送状態が、重送、斜行及びニアフィードのいずれでもなく正常搬送である場合、制御部３２は、この紙葉類Ｓを、識別部２２の検出部２３よりも下流側の識別本体部２４で識別させる。この紙葉類Ｓが、識別本体部２４の識別結果から、偽、損傷、テープ貼付、紫外線検査異常を含む識別異常のリジェクト紙葉類であると識別されると、制御部３２は、この紙葉類Ｓについても、計数せずに、搬送部３０を制御して、リジェクト部１３に搬送して収容させる。
【００９９】
また、紙葉類Ｓが、識別本体部２４で識別異常でないと識別されると、制御部３２は、識別異常でないと識別された紙葉類Ｓを、搬送部３０を制御して、その行き先となる収容部１４に搬送して収容させる。この収容部１４では、搬送部３０が搬送してきた紙葉類Ｓを羽根車７５が羽根７６と羽根７６との間に挟んで紙葉類Ｓと共に回転し、この紙葉類Ｓを収容底部７０の上面７１に当接させて羽根７６と羽根７６との間から抜け出させた後、羽根７６で支持ステージ８２側に押す。すると、紙葉類Ｓが、収容底部７０の上面７１でガイドされて支持ステージ８２の支持面８３側に移動し、支持壁部１２２の上面１２３及び支持ステージ８２の支持面８３に支持されることになる。
【０１００】
次に繰り出される紙葉類Ｓは、同様にして、収容底部７０の上面７１にガイドされて支持ステージ８２の支持面８３側に移動し、既に支持ステージ８２に支持されている紙葉類に重なって支持される。このようにして、収容部１４は、識別部２２で計数対象紙葉類と識別されて計数された紙葉類Ｓを収容することになり、収容部１４に収容された紙葉類Ｓは、支持壁部１２２の上面１２３及び支持ステージ８２の支持面８３に順に集積される。
【０１０１】
ここで、紙葉類Ｓの収容部１４への繰り出しで、支持ステージ８２が支持する紙葉類Ｓの集積枚数が増えていくと、基本状態にある支持ステージ８２が、付勢部材１６５の付勢力に抗してベースステージ１６２側に揺動する。このようにして収容部１４へ繰り出された紙葉類Ｓを摺動ステージ部８１が後退端位置においてその支持ステージ８２上に集積させることになる。
【０１０２】
このようにして、各収容部１４が、識別部２２で計数対象紙葉類と識別されて計数された紙葉類Ｓのうちの収容対象として設定された種類のものを収容することになり、リジェクト部１３は、識別部２２でリジェクト紙葉類と識別された紙葉類Ｓを収容する。このようにして、受入部１１に紙葉類Ｓがなくなった場合及び何れかの収容部１４が満杯状態になった場合、制御部３２は、取込部５５を停止させると共に羽根車駆動モータ１５２を停止させ、ステージ駆動モータ２７１を駆動して摺動ステージ部８１を前進端位置に向け摺動させる。その初期に、支持ステージ８２に集積されている紙葉類Ｓは、収容底部７０の上面７１及び支持壁部１２２の上面１２３との摩擦でその位置に一時留まる。その後、摺動ステージ部８１は、押出ステージ８５の押出面８６で、支持ステージ８２に集積されている紙葉類Ｓの後端部に当接して、紙葉類Ｓを押すことになる。その後は、摺動ステージ部８１と、その支持ステージ８２に集積されている紙葉類Ｓとが一緒に前進する。制御部３２は、ステージ駆動モータ２７１が摺動ステージ部８１を前進端位置まで移動させるとステージ駆動モータ２７１を停止させる。
【０１０３】
摺動ステージ部８１が前進端位置まで移動すると、支持ステージ８２の突出部２４２と、支持ステージ８２に集積されている紙葉類Ｓとが収容部１４の開口部１５から突出する。なお、このとき、押出ステージ８５は、押出主体部２０５で、支持ステージ８２に集積されている紙葉類Ｓを押し出すことになり、延長押出部２２１が、羽根車７５に残存している紙葉類Ｓ等、押出主体部２０５では押し出すことができない位置にある紙葉類Ｓを押し出すことになる。
【０１０４】
摺動ステージ部８１は、支持ステージ８２に載置された紙葉類Ｓの一部を、前端部右上の切欠部２４３で外側に突出させているため、利用者は、この切欠部２４３によって摺動ステージ部８１の外側に突出された前端部右上の部分を掴んで紙葉類Ｓを収容部１４から取り出すことになる。収容部１４から紙葉類Ｓが取り出されると、支持ステージ８２が付勢部材１６５の付勢力で支持側突当部２５２をベース側突当部１９５に突き当てるまで揺動して最大回動状態に戻る。また、支持ステージ８２上に紙葉類Ｓがなくなったことを、図示略の残留検知センサが検知すると、制御部３２は、ステージ駆動モータ２７１を駆動して摺動ステージ部８１を後退端位置に戻す。摺動ステージ部８１が後退端位置に位置すると、制御部３２は、ステージ駆動モータ２７１を停止させる。
【０１０５】
以上に述べた実施形態の紙葉類処理装置１によれば、収容部１４に紙葉類Ｓを収容すると、収容部１４に収容された紙葉類Ｓは摺動ステージ部８１に支持される。そして、この摺動ステージ部８１が、一部が収容部１４の外部に突出するまで摺動して、支持している紙葉類Ｓを一部が収容部１４の外部に突出するまで押し出し方向前方に押し出す。よって、利用者は、収容部１４から一部突出している紙葉類Ｓを取り出すことになり、紙葉類Ｓの収容部１４からの取り出しが容易となる。従って、利用者が収容部１４から紙葉類Ｓを取り出す際の作業性を向上させることができる。
【０１０６】
また、収容部１４に紙葉類Ｓを収容すると、収容部１４に収容された紙葉類Ｓは摺動ステージ部８１に支持される。そして、この摺動ステージ部８１が、一部が収容部１４の開口部１５から紙葉類処理装置１の外に突出するまで摺動して、支持している紙葉類Ｓを一部が収容部１４の開口部１５から紙葉類処理装置１の外に突出するまで押し出し方向前方に押し出す。よって、利用者は、収容部１４の開口部１５から紙葉類処理装置１の外に一部突出している紙葉類Ｓを取り出すことになり、紙葉類Ｓの紙葉類処理装置１からの取り出しが容易となる。従って、利用者が紙葉類処理装置１から紙葉類Ｓを取り出す際の作業性を向上させることができる。
【０１０７】
また、収容部１４に収容された紙葉類Ｓを収容部１４外に押し出した際に、紙葉類Ｓが載置される摺動ステージ部８１の突出部２４２が収容部１４外に突出するので、利用者はその突出部２４２を見ることで、どの紙葉類Ｓが押し出されたのかを目視で容易に確認することができる。また、突出した突出部２４２に触ることで、目視だけではなく手によって、どの紙葉類Ｓが押し出されたのかを確認することもできる。
【０１０８】
また、収容部１４に収容された紙葉類Ｓが摺動ステージ部８１によって支持された状態で収容部１４の外部に押し出されるので、押し出される紙葉類Ｓが落下することを防止することができる。
【０１０９】
また、摺動ステージ部８１が紙葉類Ｓの厚さ方向一側の面に当接して紙葉類Ｓを支持することになるが、摺動ステージ部８１には、押し出し方向の前端部に、押し出し方向の前方に突出して紙葉類Ｓを支持する突出部２４２と、紙葉類Ｓを突出させる切欠部２４３とが並んで設けられているため、紙葉類Ｓの切欠部２４３で突出させられた部分を掴めば、紙葉類Ｓの収容部１４からの取り出しが更に容易となり、確実に取り出すことができる。
【０１１０】
また、水平に対し斜めに広がる摺動ステージ部８１の上部側に切欠部２４３が設けられているため、紙葉類Ｓの収容部１４からの取り出しが更に容易となる。
【０１１１】
また、紙葉類Ｓの厚さ方向一側の面に当接し紙葉類Ｓを厚さ方向に集積させて支持する支持ステージ８２が揺動可能であって、揺動中心から斜め上方へと広がっているため、紙葉類Ｓの集積量に応じて揺動することになる。よって、紙葉類Ｓが少ない状態では収容部１４の内部の集積空間の容積を減らし、紙葉類Ｓが増えてくると収容部１４の集積空間の容積を増やすことができる。従って、初期に収容部１４に搬送部３０から繰り出された紙葉類Ｓが収容部１４において動ける範囲が広くなってしまうことを防止でき、初期に収容部１４に搬送部３０から繰り出された紙葉類Ｓを確実に支持ステージ８２に支持させて、紙葉類Ｓの姿勢を安定させることができる。更に、支持ステージ８２は支持する紙葉類Ｓの枚数が増えるに連れて揺動するので、収容部１４の集積容量が増えても、収容部１４に繰り出される紙葉類Ｓを確実に集積させることができる。
【０１１２】
また、摺動ステージ部８１が、支持ステージ８２に紙葉類Ｓを厚さ方向に集積させた状態で、押し出し方向の前方に摺動すると、支持ステージ８２で支持された紙葉類Ｓの押し出し方向の後端部に当接可能な押出ステージ８５が支持ステージ８２に集積された紙葉類Ｓを押し出し方向の前方に押し出す。その際に、押出ステージ８５は、支持ステージ８２に集積された紙葉類Ｓを押出主体部２０５で押し出す一方、押出主体部２０５よりも紙葉類Ｓの集積方向において押出ステージ８５とは反対側にある紙葉類Ｓを押出主体部２０５から延出する延長押出部２２１で押し出すことになる。よって、羽根車７５に引っ掛かる等何らかの理由で押出主体部２０５で押し出せない位置に紙葉類Ｓがあっても、これを押し出すことができる。
【０１１３】
以上の実施形態を以下の変形例のように変更することも可能である。
【０１１４】
＜変形例１，２＞
実施形態では、複数の収容部１４を前後左右の位置を揃えて上下に並べて設ける場合を例にとり説明したが、変形例１として、複数の収容部１４を前後上下の位置を揃えて左右に並べて設けても良く、変形例２として、左右上下の位置を揃えて前後に並べて設けても良い。
【０１１５】
＜変形例３＞
実施形態では、１台の収容ユニット３に収容部１４を４個設けているが、変形例３として、３個や５個等、４個以外であっても良い。
【０１１６】
＜変形例４＞
実施形態では、１台の計数ユニット２に１台の収容ユニット３を連結する場合を例にとり説明したが、変形例４として、１台の計数ユニット２に複数台の収容ユニット３を連結するようにしても良い。
【０１１７】
＜変形例５＞
実施形態では、紙葉類Ｓの押し出し時に、摺動ステージ部８１を一定の前進端位置まで移動させる場合を例にとり説明したが、変形例５として、収容部１４に収容された紙葉類Ｓの大きさに応じて摺動ステージ部８１の移動量を変えるようにしても良い。このように、支持する紙葉類Ｓの押し出し方向の長さに応じて摺動ステージ部８１の摺動量を制御するようにすることで、紙葉類Ｓを押し出し方向の長さに応じて取り出し易い位置に突出させることができる。よって、紙葉類Ｓが更に取り出し易くなる。
【０１１８】
＜変形例５−１＞
例えば、変形例５−１として、図１２（ａ）及び図１２（ｂ）に示すように、紙葉類Ｓの収容部１４からの突出量が同じになるようにする。具体的には、識別部２２によって得られた又は予め記憶部３３に記憶されている紙葉類Ｓの大きさデータに基づき、収容部１４に収容された紙葉類Ｓの大きさに応じてステッピングモータであるステージ駆動モータ２７１のステップ数を変え、摺動ステージ部８１の移動量を任意の量に変えて、紙葉類Ｓの収容部１４からの突出量が同じになるようにする。これにより、紙葉類Ｓを取り出す際には、紙葉類Ｓの前側部（先端部）が同じ位置にあるので、利用者は紙葉類Ｓを更に容易に取り出すことができる。
【０１１９】
＜変形例５−２＞
また、例えば、変形例５−２として、図１２（ａ）及び図１２（ｃ）に示すように、摺動ステージ部８１及び紙葉類Ｓの全体での最大突出位置を揃えるようにする。例えば、紙葉類Ｓを押し出す際、図１２（ａ）に示すように、紙葉類Ｓが支持ステージ８２よりも押し出し方向に小さい又は同じ場合には最大突出箇所は突出部２４２の先端部となり、図１２（ｃ）に示すように、紙葉類Ｓが支持ステージ８２よりも押し出し方向に大きい場合には最大突出箇所は紙葉類Ｓの先端部となる。そこで、識別部２２によって得られた又は予め記憶部３３に記憶されている紙葉類Ｓの大きさデータに基づき、収容部１４に収容された紙葉類Ｓの大きさに応じて、ステッピングモータであるステージ駆動モータ２７１のステップ数を変え、摺動ステージ部８１の移動量を任意の量に変えて、収容部１４に収容された紙葉類Ｓの大きさに応じて最大突出箇所の突出量が同じになるようにする。これにより、収容する紙葉類Ｓに関わらずに、各収容部１４から突出する部分の突出量が同じになるので、外に突出した部分に手を引っ掛ける等することを防止でき、作業性及び安全性の向上を図ることができる。
【０１２０】
＜変形例５−３＞
変形例５−３として、収容部１４毎に摺動ステージ部８１の移動量を変えたり、収容ユニット３が複数設けられている場合には、収容ユニット３毎に摺動ステージ部８１の移動量を変えるようにしても良い。例えば、ステッピングモータであるステージ駆動モータ２７１のステップ数を変え、摺動ステージ部８１の移動量を任意の量に変えて、上段から下段に向かうに従って、又は、下段から上段に向かうに従って、摺動ステージ部８１の突出量や、紙葉類Ｓの突出量、或いは、摺動ステージ部８１及び紙葉類Ｓの全体での最大突出箇所の突出量を大きくする。
【０１２１】
＜変形例６＞
実施形態では、紙葉類Ｓを収容部１４に収容した後に、取り出しが必要な状況になると制御部３２が自動的に紙葉類Ｓを摺動ステージ部８１で押し出すようにしたが、収容後に利用者等によって操作表示部３１に押し出し操作が入力されると、その収容部１４から紙葉類Ｓを摺動ステージ部８１で押し出すようにしても良い。
【０１２２】
＜変形例７−１＞
変形例７−１として、紙葉類Ｓを押し出した直後に、紙葉類Ｓの取り出しを待たずに摺動ステージ部８１を後退端位置に戻すようにしても良い。紙葉類Ｓを摺動ステージ部８１に斜め（例えば４５°）に集積させることで、板金の収容底部７０側にも紙葉類Ｓの荷重が分散し、支持ステージ８２にかかる荷重が小さくなるため、摺動ステージ部８１を元の位置に戻しても、紙葉類Ｓは押し出した後の位置から動かない。このため、摺動ステージ部８１が紙葉類Ｓの突出後、紙葉類Ｓから離れることになり、摺動ステージ部８１から紙葉類Ｓの突出する部分が増える。それに伴い、摺動ステージ部８１が紙葉類Ｓを掴む際の邪魔になり難くなる。よって、特にサイズが小さい紙葉類Ｓを容易に取り出すことができる。
【０１２３】
＜変形例７−２＞
変形例７−２として、紙葉類Ｓを押し出した直後に、紙葉類Ｓの取り出しを待たずに摺動ステージ部８１を後退端位置に戻す場合に、図１３，図１４に示すように、位置固定の底部構成部材１０１の支持壁部１２２の上面１２３に、合成樹脂製の支持ステージ８２よりも摩擦係数が高く、板金の支持壁部１２２よりも摩擦係数が高い、ゴム等の高摩擦部３０１を設ける。すると、この高摩擦部３０１は、支持ステージ８２に当接する紙葉類Ｓに当接することになる。この高摩擦部３０１は、底部構成部材１０１とは別部材であり、ドーム型の頭部３０２と頭部３０２より小径の取付部３０３とを有しており、底部構成部材１０１に形成された取付穴３０５に取付部３０３が嵌合されて底部構成部材１０１に固定される。高摩擦部３０１は、頭部３０２において紙葉類Ｓに接触する。
【０１２４】
変形例７−２によれば、摺動ステージ部８１が、支持ステージ８２に集積された紙葉類Ｓを押出ステージ８５で押し出し方向の前方に押し出した直後、紙葉類Ｓの取り出しを待たずに摺動ステージ部８１が収容部１４内に引っ込んでも、紙葉類Ｓは、収容部１４の位置固定の高摩擦部３０１で移動することなく、収容部１４から一部突出した状態を維持する。このため、摺動ステージ部８１が紙葉類Ｓの突出後、紙葉類Ｓから離れることになり、摺動ステージ部８１から紙葉類Ｓの突出する部分が増える。それに伴い、摺動ステージ部８１が紙葉類Ｓを掴む際の邪魔になり難くなる。よって、紙葉類Ｓの取り出しが更に容易となる。
【符号の説明】
【０１２５】
１  紙葉類処理装置
１４  収容部
１５  開口部
８１  摺動ステージ部
８２  支持ステージ
８５  押出ステージ
２０５  押出主体部
２２１  延長押出部
２４２  突出部
２４３  切欠部
３０１  高摩擦部
Ｓ  紙葉類
【図１】
2020040823.tif 000003
【図２】
2020040823.tif 000004
【図３】
2020040823.tif 000005
【図４】
2020040823.tif 000006
【図５】
2020040823.tif 000007
【図６】
2020040823.tif 000008
【図７】
2020040823.tif 000009
【図８】
2020040823.tif 000010
【図９】
2020040823.tif 000011
【図１０】
2020040823.tif 000012
【図１１】
2020040823.tif 000013
【図１２】
2020040823.tif 000014
【図１３】
2020040823.tif 000015
【図１４】
2020040823.tif 000016